(57)【要約】【課題】本体の傾斜時にコネクタやケーブルにかかるストレスを軽減することができるプロジェクタを提供する。【解決手段】本体内部２ｃの基板１２に電気回路が設けられ、本体背面２ｂにケーブル１０の端部のコネクタ１１と嵌合するコネクタ７が設けられたプロジェクタ１において、本体側コネクタ７を、本体背面２ｂより外部へ表出させてケーブル側コネクタ１１と嵌合可能になる位置から本体内部２ｃへ没入させて収納する位置までの間で移動可能にする出没移動手段と、本体側コネクタ７と電気回路とを本体内部２ｃで電気的に接続し、かつ本体側コネクタ７の移動により発生する本体側コネクタ７と基板１２との位置ズレを吸収して該電気的接続状態を維持するズレ吸収接続手段とを備える。【選択図】図３
2007171814.tif 000002
【特許請求の範囲】
【請求項１】
本体内部に電気回路が設けられ、本体背面にケーブルの端部のコネクタと嵌合するコネクタが設けられたプロジェクタにおいて、
前記本体側コネクタを、本体背面より外部へ表出させて前記ケーブル側コネクタと嵌合可能になる位置から、嵌合されたケーブル側コネクタとともに本体内部へ没入させて収納する位置までの間で平行移動するように案内するガイドと、
前記本体側コネクタの側方に設けられ、内部に本体側コネクタの移動方向に対して平行に複数の凹凸部が交互に並ぶように形成された溝と、
前記本体側コネクタに追従して移動可能に設けられ、前記溝の凹凸部と所定の圧力により接触する接触部が該凹凸部に沿って本体側コネクタに対して離れる方向および近づく方向へ移動することにより節度感を出す節度子と、
前記本体側コネクタを前記ケーブル側コネクタとの嵌合時に加わる嵌合力によって移動しないように前記嵌合位置に固定し、該固定を本体側コネクタの本体内部への移動時に解除可能なロックと、
前記本体側コネクタを前記収納位置から前記嵌合位置まで引き出すレバーと、
前記本体側コネクタと前記電気回路とを本体内部で電気的に接続し、かつ前記本体側コネクタの移動により発生する本体側コネクタと電気回路との位置ズレを吸収して前記電気的接続状態を維持するような可撓性を有する電線と、を備えたことを特徴とするプロジェクタ。
【請求項２】
本体内部に電気回路が設けられ、本体背面にケーブルの端部のコネクタと嵌合するコネクタが設けられたプロジェクタにおいて、
前記本体側コネクタを本体背面より外部へ表出させて前記ケーブル側コネクタと嵌合可能になる位置から本体内部へ没入させて収納する位置までの間で移動可能にする出没移動手段と、
前記本体側コネクタと前記電気回路とを本体内部で電気的に接続し、かつ前記本体側コネクタの移動により発生する本体側コネクタと電気回路との位置ズレを吸収して前記電気的接続状態を維持するズレ吸収接続手段と、を備えたことを特徴とするプロジェクタ。
【請求項３】
請求項２に記載のプロジェクタにおいて、
前記出没移動手段は、前記本体側コネクタとともに該本体側コネクタと嵌合された前記ケーブル側コネクタも移動させて、本体内部へ没入させて収納することを特徴とするプロジェクタ。
【請求項４】
請求項２または請求項３に記載のプロジェクタにおいて、
前記出没移動手段は、
前記本体側コネクタを前記嵌合位置から前記収納位置までの間で平行移動するように案内するガイドと、
前記本体側コネクタの側方に設けられ、内部に本体側コネクタの移動方向に対して平行に複数の凹凸部が交互に並ぶように形成された溝と、
前記本体側コネクタに追従して移動可能に設けられ、前記溝の凹凸部と所定の圧力により接触する接触部が該凹凸部に沿って本体側コネクタに対して離れる方向および近づく方向へ移動することにより節度感を出す節度子と、から構成されていることを特徴とするプロジェクタ。
【請求項５】
請求項２ないし請求項４のいずれかに記載のプロジェクタにおいて、
前記本体側コネクタを前記ケーブル側コネクタとの嵌合時に加わる嵌合力によって移動しないように前記嵌合位置に固定するロックを設けたことを特徴とするプロジェクタ。
【請求項６】
請求項２ないし請求項５のいずれかに記載のプロジェクタにおいて、
前記本体側コネクタを前記収納位置から前記嵌合位置まで引き出すレバーを設けたことを特徴とするプロジェクタ。
【請求項７】
請求項２ないし請求項６のいずれかに記載のプロジェクタにおいて、
前記本体側コネクタは、本体内部に設けられた基板に実装され、
前記出没移動手段は、前記基板ごと前記本体側コネクタを前記嵌合位置から前記収納位置までの間で移動させ、
前記ズレ吸収接続手段は、前記基板を介して前記本体側コネクタと前記電気回路とを電気的に接続することを特徴とするプロジェクタ。
【発明の詳細な説明】
【技術分野】
【０００１】
本発明は、プロジェクタの本体背面に設けられるコネクタの移動構造に関するものである。
【背景技術】
【０００２】
プロジェクタは、光源から発せられた光をスクリーンに投射して映像を任意の大きさで表示する電子機器である。図９は、従来のプロジェクタ５１を示す側面図である。プロジェクタ５１の本体５２の内部５２ｃには、信号処理回路、制御回路、および電源回路といった電気回路が形成された基板５３や、図示しないランプからなる光源やその他の光学部品等が設けられている。本体５２の前面５２ａには、光を透過させるレンズが内蔵された投影部５４等が設けられている。本体５２の背面５２ｂには、映像信号の入力口であるコネクタ（端子またはジャックともいう。）５５等が設けられている。詳しくは、コネクタ５５は、基板５３に実装されていて、嵌合部５５ａが背面５２ｂから外部へ表出している。本体内部５２ｃにある各部品の配置の都合により、基板５３およびコネクタ５５は下方に配置されている。
【０００３】
コネクタ５５には、図示しない外部機器から出力された映像信号等を伝送するケーブル５７の端部に設けられたコネクタ（端子またはソケットともいう。）５８が、図９（ａ）、（ｂ）に示すように水平に嵌合される。コネクタ５５、５８同士の嵌合により、プロジェクタ５１は外部機器と電気的に接続され、外部機器からケーブル５７を介して入力される映像信号に基づく映像を、図示しないスクリーンに表示可能となる。
【０００４】
プロジェクタ５１の使用時に、投影部５４からスクリーンに投射する光の投射位置を上げるため、図９（ｃ）に示すように本体５２の底部前方に設けられた脚部５６を伸ばして、前面５２ａが斜め上向きになるように本体５２を傾斜させることがある。ところが、このようにすると、背面５２ｂの下方に位置するコネクタ５５に嵌合したコネクタ５８やケーブル５７のコネクタ５８近傍部分５７ａが、本体５２を設置している設置面Ｓに当接し、両コネクタ５５、５８に過度のストレス（主にせん断応力）がかかるともに、ケーブル５７の部分５７ａに過度のストレス（主に曲げ応力）がかかって、コネクタ５５、５８およびケーブル５７が破損してしまうという問題がある。特に、ケーブル５７のコネクタ５８近傍部分５７ａは略固定端部であるため、コネクタ５８から離れた部分より可撓性が低く、過度のストレスにより断線等の破損を生じ易いとともに、該ストレスが近傍のコネクタ５８からコネクタ５５に伝わって、コネクタ５５、５８にかかるストレスを一層増大させる。
【０００５】
一方、従来から、ケーブルやコネクタにかかるストレスを軽減するため、下記の特許文献１〜３に開示されているような技術がある。特許文献１では、電子機器の本体背面のコネクタをガイド部材に沿って水平方向（本体の幅方向）、垂直方向、または斜め方向へスライドさせてコネクタ位置を変更可能とするコネクタ摺動機構手段と、本体内部の制御部とコネクタとを電気的に接続するとともに、コネクタの移動により発生する制御部とコネクタとの位置のずれを吸収する内部接続手段とを設けている。しかし、この技術では、コネクタを外部へ突出させたまま移動させるので、該コネクタが本体背面の下方に配置されている場合には、水平方向へ移動させても、前述した本体の傾斜時にコネクタやケーブルにかかるストレスを軽減することができない。また、前述のプロジェクタ５１のように、本体内部にある各部品の配置の都合により、コネクタが本体背面の下方に配置されている場合には、該コネクタを外部へ突出させたまま垂直方向や斜め方向、即ち下方から上方へ移動させられないことがある。
【０００６】
特許文献２では、装置本体と該本体に着脱可能に実装されるユニットとの間の接続を行う接続ケーブルの破壊を防止するため、該ケーブルの接続状態で、ユニットの外側面に設けられたレールに沿って保護板をユニットのコネクタをカバーする位置からユニットを本体に固定するツマミネジをカバーする位置までスライドさせることにより、ユニットの本体からの離脱を防止する保護手段を設けている。特許文献３では、水平型のコネクタに差し込んで接続するフレキシブルカード型の電線に極端なストレスがかかるのを防止するため、コネクタに嵌着取り付けする嵌着取り付け部と、コネクタの差し込み口に接続された電線の延出方向へ延出し、電線が差し込み口の水平位置から上方へ競り上がるのを抑制する、或いは一定の曲がりに抑える抑制部とを備えた電線保護装置が開示されている。しかし、これらの技術は、機器本体の傾斜時に設置面との接触によりコネクタやケーブルにかかるストレスを考慮したものではなく、該ストレスを軽減することはできない。
【０００７】
【特許文献１】特開平１１−２３８９７８号公報
【特許文献２】特開２００３−１０１２５５号公報
【特許文献２】特開平９−２３７９８６号公報
【発明の開示】
【発明が解決しようとする課題】
【０００８】
本発明は、上述した問題点を解決するものであって、その課題とするところは、本体の傾斜時にコネクタやケーブルにかかるストレスを軽減することができるプロジェクタを提供することにある。
【課題を解決するための手段】
【０００９】
本発明は、本体内部に電気回路が設けられ、本体背面にケーブルの端部のコネクタと嵌合するコネクタが設けられたプロジェクタにおいて、本体側コネクタを本体背面より外部へ表出させてケーブル側コネクタと嵌合可能になる位置から本体内部へ没入させて収納する位置までの間で移動可能にする出没移動手段と、本体側コネクタと電気回路とを本体内部で電気的に接続し、かつ本体側コネクタの移動により発生する本体側コネクタと電気回路との位置ズレを吸収して電気的接続状態を維持するズレ吸収接続手段とを備える。
【００１０】
このようにすると、本体側コネクタと電気回路との接続状態を維持しながら、本体側コネクタを嵌合位置や収納位置へ移動させて、本体背面より出没させることができるので、本体の傾斜時に本体側コネクタを嵌合位置から収納位置へ向けて移動させることにより、本体側コネクタとこれに嵌合したケーブル側コネクタとが本体内部へ引き込まれて、ケーブル側コネクタやケーブルのコネクタ近傍部分が本体を設置している設置面に当接しなくなり、両コネクタやケーブルにかかるストレスを軽減することが可能となる。
【００１１】
また、本発明の一実施形態では、前記出没移動手段は、本体側コネクタとともに該本体側コネクタと嵌合されたケーブル側コネクタも移動させて、本体内部へ没入させて収納する。
【００１２】
このようにすると、本体の傾斜時に本体側コネクタを収納位置へ移動させることにより、本体側コネクタとこれに嵌合したケーブル側コネクタとが本体内部へ没入するため、ケーブル側コネクタやケーブルのコネクタ近傍部分が設置面に一層当接しなくなり、両コネクタやケーブルにかかるストレスを確実に軽減することが可能となる。また、ケーブル側コネクタが本体内部へ完全に没入するようにすると、本体をより大きな角度で傾斜させても、ケーブル側コネクタやケーブルのコネクタ近傍部分が本体の設置面に当接しなくなり、両コネクタやケーブルにかかるストレスを軽減することが可能となる。
【００１３】
また、本発明の一実施形態では、前記出没移動手段は、本体側コネクタを前記嵌合位置から前記収納位置までの間で平行移動するように案内するガイドと、本体側コネクタの側方に設けられ、内部に本体側コネクタの移動方向に対して平行に複数の凹凸部が交互に並ぶように形成された溝と、本体側コネクタに追従して移動可能に設けられ、溝の凹凸部と所定の圧力により接触する接触部が該凹凸部に沿って本体側コネクタに対して離れる方向および近づく方向へ移動することにより節度感を出す節度子とから構成されている。
【００１４】
このようにすると、本体側コネクタをガイドに沿って移動させたときに、節度子が溝の凹部に嵌まり込んだり凸部を乗り越えたりして節度感を出すため、本体側コネクタを段階的に移動させて、該コネクタの位置を嵌合位置と収納位置の間で容易に調節し維持することができる。
【００１５】
また、本発明の一実施形態では、本体側コネクタをケーブル側コネクタとの嵌合時に加わる嵌合力によって移動しないように前記嵌合位置に固定するロックを設けている。
【００１６】
このようにすると、本体側コネクタにケーブル側コネクタを正常に嵌合することができ、本体とケーブルの電気的接続の信頼性が低下することはない。
【００１７】
また、本発明の一実施形態では、本体側コネクタを前記収納位置から前記嵌合位置まで引き出すレバーを設けている。
【００１８】
このようにすると、ケーブル側コネクタやケーブルを直接引っ張らなくても、レバーを操作することにより、本体側コネクタおよびケーブル側コネクタを収納位置から嵌合位置へ容易に引き出すことができ、該移動時に両コネクタおよびケーブルに過度のストレスがかかるのを防止することが可能となる。
【００１９】
また、本発明の一実施形態では、本体側コネクタは、本体内部に設けられた基板に実装され、前記出没移動手段は、該基板ごと本体側コネクタを前記嵌合位置から前記収納位置までの間で移動させ、前記ズレ吸収接続手段は、該基板を介して本体側コネクタと電気回路とを電気的に接続する。
【００２０】
このようにすると、本体側コネクタとして汎用的な基板実装タイプのコネクタを用いても、本体側コネクタと電気回路との接続状態を維持しながら、本体側コネクタを嵌合位置や収納位置へ移動させて、本体背面より出没させることができ、本体の傾斜時に本体側コネクタを収納位置へ向けて移動させることにより、ケーブル側コネクタやケーブルのコネクタ近傍部分を設置面から離して、両コネクタやケーブルにかかるストレスを軽減することが可能となる。また、本体側コネクタとして汎用的なコネクタを用いることは、プロジェクタの製造コストを削減するのに有効である。
【００２１】
さらに、本発明の典型的な実施形態では、本体内部に電気回路が設けられ、本体背面にケーブルの端部のコネクタと嵌合するコネクタが設けられたプロジェクタにおいて、本体側コネクタを、本体背面より外部へ表出させて前記ケーブル側コネクタと嵌合可能になる位置から、嵌合されたケーブル側コネクタとともに本体内部へ没入させて収納する位置までの間で平行移動するように案内するガイドと、本体側コネクタの側方に設けられ、内部に本体側コネクタの移動方向に対して平行に複数の凹凸部が交互に並ぶように形成された溝と、本体側コネクタに追従して移動可能に設けられ、溝の凹凸部と所定の圧力により接触する接触部が該凹凸部に沿って本体側コネクタに対して離れる方向および近づく方向へ移動することにより節度感を出す節度子と、本体側コネクタをケーブル側コネクタとの嵌合時に加わる嵌合力によって移動しないように前記嵌合位置に固定し、該固定を本体側コネクタの本体内部への移動時に解除可能なロックと、本体側コネクタを前記収納位置から前記嵌合位置まで引き出すレバーと、本体側コネクタと電気回路とを本体内部で電気的に接続し、かつ本体側コネクタの移動により発生する本体側コネクタと電気回路との位置ズレを吸収して電気的接続状態を維持するような可撓性を有する電線とを備える。
【００２２】
このようにすると、本体側コネクタと電気回路との接続状態を維持しながら、本体側コネクタを嵌合位置や収納位置へ移動させて、本体背面より出没させることができるので、本体の傾斜時に本体側コネクタを嵌合位置から収納位置へ向けて移動させることにより、本体側コネクタとこれに嵌合したケーブル側コネクタとが本体内部へ没入して、ケーブル側コネクタやケーブルのコネクタ近傍部分が本体を設置している設置面に当接しなくなり、両コネクタやケーブルにかかるストレスを確実に軽減することが可能となる。また、本体側コネクタの移動時に、節度子より節度感が得られるので、本体側コネクタを段階的に移動させて、該コネクタの位置を嵌合位置と収納位置の間で容易に調節し維持することができる。また、ケーブル側コネクタの嵌合時に、本体側コネクタを移動しないようにロックで嵌合位置に固定することにより、本体側コネクタにケーブル側コネクタを正常に嵌合することができ、本体とケーブルの電気的接続の信頼性が低下することはない。さらに、ケーブル側コネクタやケーブルを直接引っ張らなくても、レバーを操作することにより、本体側コネクタおよびケーブル側コネクタを収納位置から嵌合位置へ容易に引き出すことができるので、該移動時に両コネクタおよびケーブルに過度のストレスがかかるのを防止することが可能となる。
【発明の効果】
【００２３】
本発明によれば、本体側コネクタと電気回路との接続状態を維持しながら、本体側コネクタを嵌合位置や収納位置へ移動させて、本体背面より出没させることができるので、本体の傾斜時に本体側コネクタを収納位置へ向けて移動させることにより、ケーブル側コネクタやケーブルのコネクタ近傍部分が本体を設置している設置面に当接しなくなり、両コネクタやケーブルにかかるストレスを軽減することが可能となる。
【発明を実施するための最良の形態】
【００２４】
以下、本発明の実施形態につき図面を参照して説明する。図１は、本発明の実施形態に係るプロジェクタ１の斜視図、図２は、プロジェクタ１の背面図、図３は、プロジェクタ１の側面図である。図１において、プロジェクタ１の本体２の上面には、各種ボタンからなる操作部３が設けられ、前面２ａには、光を透過させるレンズが内蔵された投影部４が設けられている。本体２の底面には、図３に示すように本体２を設置している設置面Ｓに着地している脚部２０が伸縮可能に設けられている。
【００２５】
本体２の背面２ｂには、図２に示すように各種のインターフェイス規格に準拠した映像信号の入力口であるコネクタ５〜８や、電力の入力口である電源コネクタ９が設けられている。５はＤＶＩ端子コネクタ、６はＤ端子コネクタ、７はＳ端子コネクタ、８はコンポーネントビデオ端子コネクタである。各コネクタ５〜９は、嵌合部５ａ〜９ａが背面２ｂから外部へ表出するように本体２の内部２ｃ（図３）に設置されている。図３では、コネクタ７のみ図示しているが、他も同様である。コネクタ５〜８には、図示しないパーソナルコンピュータまたはＡＶ機器から出力された映像信号等を伝送するケーブルの端部に設けられたコネクタがそれぞれ水平に嵌合され、コネクタ９には、図示しないコンセントに接続された電源ケーブルの端部に設けられたコネクタが水平に嵌合される。図３では、コネクタ７に嵌合されるケーブル１０およびこれの端部に設けられたコネクタ１１のみ図示している。本体側のコネクタ５〜８と上記ケーブル側のコネクタとの嵌合により、プロジェクタ１は外部機器と電気的に接続され、該機器からケーブルを介して入力される映像信号に基づく映像を、図示しないスクリーンに表示可能となる。
【００２６】
図３に示すように本体２の内部２ｃには、信号処理回路、制御回路、および電源回路といった電気回路が形成された基板１２や、図示しないランプからなる光源やその他の光学部品等が設けられている。内部２ｃにある各部品の配置の都合により、基板１２およびコネクタ５〜７は本体２の下方に配置されている。図３では、基板１２とコネクタ７のみ図示しているが、他も同様である。コネクタ５〜７の近傍の構造は同様になっている。このため、以下では、コネクタ７の近傍を例に挙げて説明する
【００２７】
図４Ａ〜図４Ｅは、コネクタ７近傍の構造を示す断面図である。各図において、（ａ）は側方断面図、（ｂ）は（ａ）のＡ−Ａ断面図、（ｃ）は（ｂ）のＢ−Ｂ断面図である。コネクタ７は、本発明における本体側コネクタの一実施形態を構成し、ケーブル１０のコネクタ１１は、本発明におけるケーブル側コネクタの一実施形態を構成する。
【００２８】
図４Ａにおいて、コネクタ７は、本体２の背面２ｂ側の下方に設けられたガイド壁１３で囲まれる空間内に配置されている。ガイド壁１３は本体２のフレームの一部である。ガイド壁１３はコネクタ７に近接するように設けられていて、コネクタ７を、背面２ｂより外部へ表出させてケーブル側コネクタ１１と嵌合可能になる位置（図４Ａ〜図４Ｃに示す位置）から、内部２ｃへ没入させて収納する位置（図４Ｅに示す位置）までの間で前後方向Ｘａ、Ｘｂへ平行移動するように案内する。即ち、ガイド壁１３で囲まれる空間は、コネクタ７、１１が収まるような大きさに形成されている。コネクタ７の幅方向Ｙａ、Ｙｂの側方には、内部に該コネクタ７の移動方向Ｘａ、Ｘｂに対して平行に複数の凹凸部１４ａ、１４ｂが交互に並ぶように形成された溝１４が設けられている。この溝１４と対向するコネクタ７の側面には、節度子１５が設けられている。節度子１５は、図４Ａ（ｂ）に示すように先端が球状になっているミサイル形の部材であって、コネクタ７の側面に一体的に設けられた筒部１６の中空部に装着されて、該中空部内に設けられたばね１７によって該中空部から外れないように保持され、かつコネクタ７から離れる方向Ｙａ、Ｙｂへ付勢されている。節度子１５は、コネクタ７に追従してＸａ、Ｘｂ方向へ移動し、その際に溝１４の凹凸部１４ａ、１４ｂと所定の圧力で接触する。そして、その接触部（球状部分）１５ａが凹凸部１４ａ、１４ｂに沿ってコネクタ７に対して離れる方向および近づく方向（ＹａやＹｂ方向）へ移動することにより節度感を出し、コネクタ７の移動を段階的にする。ガイド壁１３は、本発明におけるガイドの一実施形態を構成し、溝１４は、本発明における溝の一実施形態を構成し、節度子１５は、本発明における節度子の一実施形態を構成する。また、ガイド壁１３、溝１４、および節度子１５は、本発明における出没移動手段の一実施形態を構成する。
【００２９】
コネクタ７の上方には、ロック片１８が上下方向Ｚａ、Ｚｂへ移動可能に設けられている。ロック片１８の操作部１８ａは、図２に示すように本体背面２ｂに形成された孔２１を貫通して外部へ突出している。図４Ａおよび図４Ｂに示すようにコネクタ７が嵌合位置に位置しているときに、操作部１８ａを孔２１の最下位置に下げておくことで、（ｂ）に示すようにロック片１８の垂直部１８ｂが筒部１６をＸａ方向を向いたガイド壁１３との間に挟み込んで押え、コネクタ７をケーブル側コネクタ１１との嵌合時に加わる嵌合力によってＸａ方向へ移動しないように嵌合位置に固定する。また、図４Ｃに示すように操作部１８ａを孔２１の最上位置まで上げると、（ａ）に示すように垂直部１８ｂが筒部１６より上方に位置して、筒部１６に当接しなくなり、コネクタ７の嵌合位置での固定が解除され、コネクタ７がＸａ方向へ移動可能になる。ロック片１８は、本発明におけるロックの一実施形態を構成する。
【００３０】
コネクタ７の下方には、スライドレバー１９が前後方向Ｘａ、Ｘｂへ移動可能に設けられている。図４Ａ（ａ）および（ｂ）では、スライドレバー１９がＸａ方向へ移動した状態を実線で示し、Ｘｂ方向へ移動した状態を二点鎖線で示している。スライドレバー１９の操作部１９ａは、図２に示すように背面２ｂに形成された孔２２を貫通して外部へ突出している。スライドレバー１９の上面のＸａ方向側には、図４Ｅに示すようにコネクタ７が本体内部２ｃの収納位置にあるときに、該コネクタ７の背面７ｂに引っ掛かる突起１９ｂが設けられている。この状態から、スライドレバー１９の操作部１９ａをＸｂ方向へ引っ張ると、突起１９ｂがコネクタ７を引っ掛けて嵌合位置まで引き出す（図４Ａ参照）。スライドレバー１９は、本発明におけるレバーの一実施形態を構成する。
【００３１】
コネクタ７の背面７ｂ側には、コネクタ７と基板１２に形成された電気回路とを電気的に接続する電線２３が設けられている。詳しくは、電線２３の一端は、コネクタ７のコンタクトにはんだ付け等で接続されていて、他端は、基板１２上に実装されたコネクタ２４に差し込まれて、該コネクタ２４を介して基板１２の電気回路に接続されている。基板１２は、本体内部２ｃで固定されている。電線２３は、例えばＦＦＣ（Flexible Flat Cable）等から構成されていて、コネクタ７のＸ方向への移動により発生するコネクタ７と基板１２との位置ズレを吸収して、上記電気的接続状態を維持するような可撓性を有している。電線２３としてはＦＦＣ以外に、例えばケーブルやワイヤやＦＰＣ（Flexible Printed Circuit）等を用いてもよい。電線２３は、本発明におけるズレ吸収接続手段と電線の一実施形態を構成する。
【００３２】
図３（ａ）および図４Ａ（ｃ）に示すようにコネクタ７、１１同士を対向させて嵌合するときは、本体側コネクタ７を嵌合位置に位置させ、ロック片１８を最下位置まで下げて、ロック片１８で筒部１６を押えてコネクタ７を動かないように固定する。そして、図３（ｂ）および図４Ｂに示すようにコネクタ７、１１同士を嵌合させると、図３（ｃ）および図４Ｃに示すようにロック片１８を最上位置まで上げて筒部１６から離し、コネクタ７の固定を解除して、コネクタ７をＸａ方向へ移動可能にする。解除後、ケーブル側コネクタ１１をＸａ方向へ押すと、本体側コネクタ７がＸａ方向へ向かって移動し、本体内部２ｃに没入する。その移動の際、節度子１５が溝１４の凹部１４ａに嵌まり込んだり、図４Ｄに示すように凸部１４ｂを乗り越えたりして、Ｙａ、Ｙｂ方向へ往復移動することにより節度感を出し、コネクタ７の移動が段階的になる。また、コネクタ７から基板１２の電気回路の一部を構成するコネクタ２４までの距離が短くなって、コネクタ７、２４間で位置ズレが発生するが、コネクタ７、２４に両端を接続された電線２３が撓んで該位置ズレを吸収し、コネクタ７とコネクタ２４および基板１２上の電気回路との電気的接続状態を維持する。
【００３３】
そして、図４Ｅに示すようにコネクタ７が収納位置に来て、筒部１６がＸｂ方向を向いたガイド壁１３に当接すると、コネクタ７がそれ以上Ｘａ方向へ移動しなくなり、コネクタ１１およびケーブル１０もそれ以上Ｘａ方向へ移動しなくなる。また、電線２３が大きく撓んでコネクタ７、２４の位置ズレを吸収し、コネクタ７とコネクタ２４および基板１２上の電気回路との電気的接続状態を維持する。この状態では、コネクタ７が本体内部２ｃに完全に没入し、コネクタ１１が半分以上本体内部２ｃに没入する。このため、投影部４からスクリーンに投射する光の投射位置を上げようとして、図３（ｄ）に示すように本体２の前面２ａ側の脚部２０を伸ばして、前面２ａが斜め上向きになるように本体２を傾斜させても、コネクタ１１およびケーブル１０のコネクタ１１近傍部分１０ａが設置面Ｓに当接せず、コネクタ７、１１および該部分１０ａに過度のストレス（主にせん断応力や曲げ応力）がかからなくなる。なお、ケーブル１０のコネクタ１１から離れた部分１０ｂは設置面Ｓに当接するが、該部分１０ｂは固定されておらず、コネクタ１１近傍部分１０ａより可撓性が高いため、ストレスが分散されて過度にならず、コネクタ１１、７に過度のストレスをかけることもない。
【００３４】
その後、コネクタ１１またはスライドレバー１９の操作部１９ａをＸｂ方向へ引っ張ると、コネクタ７が収納位置からＸｂ方向へ移動して、嵌合位置まで引き出される。コネクタ１１を引っ張ると、ケーブル１０にストレス（主に引張応力）がかからなくなり、ケーブル１０とコネクタ１１の接続部分の損傷を防止できる。また、スライドレバー１９を引っ張ると、ケーブル１０およびコネクタ１１にストレスがかからなくなり、ケーブル１０とコネクタ１１の接続部分の損傷を防止できるとともに、コネクタ７からコネクタ１１をこじりながら引き抜くおそれがなく、コネクタ７、１１の嵌合状態を維持して、該嵌合部分の損傷を防止できる。コネクタ７のＸｂ方向への移動の際、節度子１５が溝１４の凹部１４ａおよび凸部１４ｂに沿ってＹａ、Ｙｂ方向へ往復移動して節度感を出し、コネクタ７の移動が段階的になる。また、コネクタ７からコネクタ２４までの距離が長くなって、コネクタ７、２４間で位置ズレが発生するが、電線２３の撓み量を小さくして該位置ズレを吸収し、コネクタ７とコネクタ２４および基板１２上の電気回路との電気的接続状態を維持する。
【００３５】
以上の構造によると、本体側コネクタ７と基板１２上の電気回路との接続状態を維持しながら、本体側コネクタ７を嵌合位置や収納位置へ移動させて、本体背面２ｂより出没させることができるので、本体２の傾斜時に本体側コネクタ７を嵌合位置から収納位置へ向けて移動させることにより、本体側コネクタ７とこれに嵌合したケーブル側コネクタ１１とが本体内部２ｃへ引き込まれて、ケーブル側コネクタ１１やケーブル１０のコネクタ１１近傍部分１０ａが設置面Ｓに当接しなくなり、コネクタ７、１１やケーブル１０にかかるストレスを軽減することが可能となる。
【００３６】
また、本体側コネクタ７を収納位置へ移動させたときに、これに嵌合したケーブル側コネクタ１１の半分以上が本体内部２ｃに没入するので、ケーブル側コネクタ１１やケーブル１０のコネクタ１１近傍部分１０ａが設置面Ｓに一層当接しなくなり、両コネクタ７、１１やケーブル１０にかかるストレスを確実に軽減することが可能となる。
【００３７】
また、本体側コネクタ７をガイド壁１３に沿ってＸａ、Ｘｂ方向へ移動させたときに、節度子１５が溝１４の凹部１４ａに嵌まり込んだり凸部１４ｂを乗り越えたりして、節度感を出すので、本体側コネクタ７を段階的に移動させて、該コネクタ７の位置を嵌合位置と収納位置の間で容易に調節し維持することができる。
【００３８】
また、本体側コネクタ７をケーブル側コネクタ１１との嵌合時に加わる嵌合力によって移動しないように、ロック片１８によって嵌合位置に固定するので、本体側コネクタ７にケーブル側コネクタ１１を正常に嵌合することができ、本体２とケーブル１０および該ケーブル１０の先に接続された外部機器との電気的接続の信頼性が低下することはない。
【００３９】
さらに、本体側コネクタ７をスライドレバー１９によって収納位置から嵌合位置まで引き出すので、ケーブル側コネクタ１１やケーブル１０を直接引っ張らなくても、スライドレバー１９で本体側コネクタ７およびケーブル側コネクタ１１を収納位置から嵌合位置へ容易に引き出すことができ、該移動時に両コネクタ７、１１およびケーブル１０に過度のストレス（主に引張応力やせん断応力）がかかるのを防止することが可能となる。
【００４０】
本発明は、以上の実施形態以外にも種々の形態を採用することができる。例えば、以上の実施形態では、本体側コネクタ７が収納位置にあるときに、ケーブル側コネクタ１１の半分以上の部分が本体内部２ｃに没入し、それ以外の一部が背面２ｂから突出する例を挙げているが、本発明はこれのみに限定するものではない。図５に示す他の実施形態のように、溝１４の凹部１４ａおよび凸部１４ｂの数を増やして、収納位置を本体内部２ｃのさらに奥にすることにより、該収納位置に本体側コネクタ７があるときに、ケーブル側コネクタ１１が完全に本体内部２ｃに没入するようにしてもよい。このようにすると、図６に示すように本体２を傾斜させたときに、ケーブル側コネクタ１１から設置面Ｓまでの距離がより長くなって、ケーブル側コネクタ１１やケーブル１０のコネクタ１１近傍部分１０ａが設置面Ｓに一層当接しなくなり、両コネクタ７、１１やケーブル１０にかかるストレスを確実に軽減することが可能となる。また、本体２をより大きな角度で傾斜させても、ケーブル側コネクタ１１やケーブル１０の部分１０ａが設置面Ｓに当接せず、両コネクタ７、１１やケーブル１０にかかるストレスを軽減することが可能となる
【００４１】
また、以上の実施形態では、コネクタ７が基板に実装されていない例を挙げているが、本発明はこれのみに限定するものではなく、図７Ａおよび図７Ｂに示す他の実施形態のように、コネクタ７を基板１２とは別体の子基板２５に実装するようにしてもよい。この場合、図７Ｂに示すように子基板２５ごと本体側コネクタ７をガイド壁１３に沿って嵌合位置から収納位置までの間で移動させるようにすればよい。また、子基板２５と基板１２に電線２３をはんだ付け等により接続して、子基板２５と基板１２を介して本体側コネクタ７と基板１２上の電気回路とを電気的に接続するようにしてもよい。さらに、子基板２５上に筒部１６や接触子１５等を設け、図７Ａに示すように子基板２５のＸａ方向側の端部２５ａにロック片１８の垂直部１８ｂを当接させて、本体側コネクタ７を嵌合位置に固定するようにしてもよい。このようにすると、本体側コネクタ７として汎用的な基板実装タイプのコネクタを用いても、本体側コネクタ７と基板１２上の電気回路との接続状態を維持しながら、本体側コネクタ７を子基板２５ごと嵌合位置や収納位置へ移動させて、本体背面２ｂより出没させることができ、本体２の傾斜時に本体側コネクタ７を収納位置へ移動させることにより、ケーブル側コネクタ１１やケーブル１０のコネクタ１１近傍部分１０ａを設置面Ｓから離して、両コネクタ７、１１やケーブル１０にかかるストレスを軽減することが可能となる。また、本体側コネクタ７として汎用的なコネクタを用いることは、プロジェクタ１の製造コストを削減するのに有効である。
【００４２】
また、以上の実施形態では、筒部１６の中空部に装着されて、ばね１７によって該中空部から外れないように保持されかつコネクタ７から離れる方向Ｙａ、Ｙｂへ付勢されている節度子１５を設けた例を挙げているが、本発明はこれのみに限定するものではなく、これに代えて、例えば図８に示すように山形に折り曲げられて、溝１４の凹部１４ａに嵌まり込んで凸部１４ｂを乗り越える接触部２６ａが形成された板ばねからなる節度子２６を設けるようにしてもよい。この節度子２６の一端は固定端で他端は自由端になっている。つまり、節度子としては、本体側コネクタに追従して移動可能で、溝の凹凸に沿って本体側コネクタに対して離れる方向および近づく方向へ移動することにより節度感を出すものであればよい。
【００４３】
また、以上の実施形態では、本発明をコネクタ７に適用した例を挙げているが、本発明はこれ以外のコネクタ５、６、８、９にも適用可能である。さらに、以上の実施形態では、本発明をプロジェクタ１に適用した例を挙げているが、本発明はこれとは形状やタイプの異なるプロジェクタにも適用することができる。
【図面の簡単な説明】
【００４４】
【図１】本発明の実施形態に係るプロジェクタの斜視図である。
【図２】同プロジェクタの背面図である。
【図３】同プロジェクタの側面図である。
【図４Ａ】同プロジェクタの要部の断面図である。
【図４Ｂ】同プロジェクタの要部の断面図である。
【図４Ｃ】同プロジェクタの要部の断面図である。
【図４Ｄ】同プロジェクタの要部の断面図である。
【図４Ｅ】同プロジェクタの要部の断面図である。
【図５】他の実施形態を示す図である。
【図６】他の実施形態を示す図である。
【図７Ａ】他の実施形態を示す図である。
【図７Ｂ】他の実施形態を示す図である。
【図８】他の実施形態を示す図である。
【図９】従来のプロジェクタの側面図である。
【符号の説明】
【００４５】
１  プロジェクタ
２  本体
２ａ  本体前面
２ｂ  本体背面
２ｃ  本体内部
７  本体側コネクタ
１０  ケーブル
１１  ケーブル側コネクタ
１３  ガイド壁
１４  溝
１４ａ  凹部
１４ｂ  凸部
１５、２６  節度子
１５ａ、２６ａ  接触部
１８  ロック片
１９  スライドレバー
２３  電線
２５  子基板
【図１】
2007171814.tif 000003
【図２】
2007171814.tif 000004
【図３】
2007171814.tif 000005
【図４Ａ】
2007171814.tif 000006
【図４Ｂ】
2007171814.tif 000007
【図４Ｃ】
2007171814.tif 000008
【図４Ｄ】
2007171814.tif 000009
【図４Ｅ】
2007171814.tif 000010
【図５】
2007171814.tif 000011
【図６】
2007171814.tif 000012
【図７Ａ】
2007171814.tif 000013
【図７Ｂ】
2007171814.tif 000014
【図８】
2007171814.tif 000015
【図９】
2007171814.tif 000016